(57)【要約】【課題】反射防止膜がコートされた二種類の染色を施した基材を用いた光学部材であって、反射光により付される色により染色された基材そのものの色合いを損なわない波長選択性を有する光学部材を提供すること。【解決手段】波長選択性を有する光学部材は、光が入射する二つの面を有し、第一の波長域成分を主として透過させる第一の領域および第二の波長域成分を主として透過させる第二の領域を持つ基材と、上記二つの面にそれぞれ施されたコーティング層と、から構成される光学部材であり、第一の領域を介して光学部材を透過する光の色刺激と、二つの面の一方のコーティング層により反射される光の色刺激が同系統であり、第二の領域を介して光学部材を透過する光の色刺激と、二つの面の他方のコーティング層により反射される光の色刺激が同系統である構成にした。【選択図】図８
2007183411.tif 000002
【特許請求の範囲】
【請求項１】
光が入射する二つの面を有し、可視波長域内の第一の波長域成分を主として透過させる第一の領域、および前記可視波長域内の第二の波長域成分を主として透過させる第二の領域を持つ基材と、
前記二つの面にそれぞれ施されたコーティング層と、から構成される光学部材であり、
前記第一の領域を介して前記光学部材を透過する光の色刺激と、前記二つの面の一方に施されたコーティング層により反射される光の色刺激が同系統であり、
前記第二の領域を介して前記光学部材を透過する光の色刺激と、前記二つの面の他方に施されたコーティング層により反射される光の色刺激が同系統であることを特徴とする波長選択性を有する光学部材。
【請求項２】
請求項１に記載の光学部材において、
前記第一の領域を介して前記光学部材を透過した光の分光分布が、前記基材の前記第一の領域における分光透過率分布に略一致し、
前記第二の領域を介して前記光学部材を透過した光の分光分布が、前記基材の前記第二の領域における分光透過率分布に略一致することを特徴とする波長選択性を有する光学部材。
【請求項３】
請求項１または請求項２に記載の光学部材において、
前記基材における前記第一の領域を透過した光および前記二つの面の一方に施されたコーティング層により反射される光の、主波長の差あるいは補色主波長の差が所定の範囲内にあり、かつ、
前記基材における前記第二の領域を透過した光および前記二つの面の他方に施されたコーティング層により反射される光の、主波長の差あるいは補色主波長の差が所定の範囲内にあることを特徴とする波長選択性を有する光学部材。
【請求項４】
請求項３に記載の光学部材において、
前記所定の範囲は、±１０ｎｍであることを特徴とする波長選択性を有する光学部材。
【請求項５】
請求項１から請求項４のいずれかに記載の光学部材において、
前記基材は、前記二つの面の少なくとも一方が曲面であることを特徴とする波長選択性を有する光学部材。
【請求項６】
請求項１から請求項５のいずれかに記載の光学部材において、
前記コーティング層は、反射防止特性を備えることを特徴とする波長選択性を有する光学部材。
【発明の詳細な説明】
【技術分野】
【０００１】
この発明は、例えば染色された眼鏡レンズのような透過光束の波長を選択する機能を有する光学部材に関する。
【背景技術】
【０００２】
この種の眼鏡用染色レンズは、レンズを形成するプラスチックの基材に特定の色成分を吸収するような染料を浸透させる、あるいはインクジェット方式によりレンズ表面に塗料を塗布することにより作製される。眼鏡レンズが基材のみで構成される場合には、眼鏡レンズの装用者の眼に入る透過光の色刺激と、眼側から眼鏡レンズを透過して装用者以外の者の眼に入る透過光の色刺激、すなわち、レンズの色として認識される色刺激とは等しい。
【０００３】
一般に、眼鏡レンズ等様々な光学部材は、該部材表面に入射した光の無用な反射を防止するため、該表面に反射防止膜がコーティングされる。反射防止膜は、通常複数の誘電体層から構成される干渉膜であり、基準となる中心波長については反射光の発生をほぼ完全に防ぐことができるが、可視域の全波長において反射率を０％にすることはできない。従来は、基材の色に関わりなく一般に人間の眼にとって感度が高いとされる緑色成分の反射率が相対的に高く設定された分光反射率分布を有する反射防止膜が用いられていた。
【０００４】
ここで、従来は光学部材の基材の透過光の色刺激と反射防止膜による反射光の色刺激との関係に何ら注意が払われなかった。そのため、反射防止膜からの反射光により、眼鏡レンズが本来意図していた基材の色とは異なる色に見えてしまい、眼鏡レンズのファッション性が損なわれるという問題があった。本出願人は、以下の特許文献１において、上記問題を有効に解決し、反射防止膜を施しても色合いやファッション性を損なうことがない光学部材を提供している。
【０００５】
【特許文献１】特開平９−２８１３１７号公報
【０００６】
近年、染色技術の向上や例えば眼鏡レンズであれば装用者の好みの多様化に伴い、二種類の染色（いわゆる、ツインカラー）を施した基材を用いた光学部材が多用されつつある。このように染色の種類が増えるほど、光学部材は、基材の透過光の色刺激と反射防止膜による反射光の色刺激とのバランスを調整するのが困難になり、上記問題はより顕著に現れる。しかし、上記特許文献１に記載の発明は、あくまでも一種類の染色を施した基材を用いた光学部材に対して好適に実施されるものである。そのため、さらなる改善が強く要望されていた。
【発明の開示】
【発明が解決しようとする課題】
【０００７】
そこで本発明は上記の事情に鑑み、二種類の染色を施した基材を用いた光学部材であってかつ反射防止膜がコートされたものであっても、反射光により付される色により染色された基材そのものの色合いを損なうことがない波長選択性を有する光学部材を提供することを目的とする。
【課題を解決するための手段】
【０００８】
上記課題を解決するため、本発明の波長選択性を有する光学部材は、光が入射する二つの面を有し、可視波長域内の第一の波長域成分を主として透過させる第一の領域、および前記可視波長域内の第二の波長域成分を主として透過させる第二の領域を持つ基材と、上記二つの面にそれぞれ施されたコーティング層と、から構成される光学部材であり、第一の領域を介して光学部材を透過する光の色刺激と、二つの面の一方に施されたコーティング層により反射される光の色刺激が同系統であり、第二の領域を介して光学部材を透過する光の色刺激と、二つの面の他方に施されたコーティング層により反射される光の色刺激が同系統であることを特徴とする。
【０００９】
具体的には、第一の領域を介して光学部材を透過した光の分光分布が、基材の第一の領域における分光透過率分布に略一致し、第二の領域を介して光学部材を透過した光の分光分布が、基材の第二の領域における分光透過率分布に略一致するように構成される（請求項２）。
【００１０】
さらに請求項３に記載の波長選択性を有する光学部材によれば、基材における第一の領域を透過した光および二つの面の一方に施されたコーティング層により反射される光の、主波長の差あるいは補色主波長の差が所定の範囲内にあり、かつ、基材における第二の領域を透過した光および二つの面の他方に施されたコーティング層により反射される光の、主波長の差あるいは補色主波長の差が所定の範囲内にあることが望ましい。
【００１１】
請求項４に記載の波長選択性を有する光学部材によれば、上記所定の範囲は、±１０ｎｍであることが望ましい。
【００１２】
請求項５に記載の波長選択性を有する光学部材によれば、上記基材は、二つの面の少なくとも一方が曲面である。
【００１３】
また、請求項６に記載の波長選択性を有する光学部材によれば、上記コーティング層は、反射防止特性を備えることができる。
【発明の効果】
【００１４】
以上のように本発明によれば、反射防止膜の反射光の影響によって基材そのものの色合いを損なうことがなくなる。そして、該光学部材が、光が入射する側および光が射出される側のいずれから観察された場合であっても、基材と略同一の色刺激を観察者に与えることができる。つまり、本発明によれば、視認性良く豊かなファッション性を備えた光学部材が提供される。
【発明を実施するための最良の形態】
【００１５】
以下、この発明にかかる波長選択性を有する光学部材の実施形態を説明する。本実施形態の波長選択性を有する光学部材の側面図を図１に示す。光学部材１０は、メニスカス形状の眼鏡レンズを想定している。ただし、本発明に係る光学部材は、ショーウィンドウやショーケース用に供されるガラス板などのパワーを持たない平板状として構成することもできる。
【００１６】
光学部材１０は、基材１、基材１の両面に施された反射防止膜２、３から構成される。なお、図１に示す基材１、各膜２、３の厚みは、説明の便宜上誇張して示している。図２は、基材１の正面図である。図２に示すように基材１は、可視波長域における特定の波長域（以下、第一の波長域という）の成分を主として透過させる第一の領域１ａ、可視波長域において、第一の波長域以外の波長域（以下、第二の波長域という）の成分を主として透過させる第二の領域１ｂを持つ。
【００１７】
まず、光学部材１０の特徴を説明するために使用する光の種類について図３を参照しつつ定義する。図３に示すように、光学部材１０を透過した光のうち、第一の領域１ａを透過した光を透過光ＴＡ、第二の領域１ｂを透過した光をＴＢとする。光学部材１０で反射した光のうち、反射防止膜２で反射した光をＲ２、反射防止膜３で反射した光をＲ３とする。また、基材１だけを透過した光のうち、第一の領域１ａを透過した光を透過光Ｔ１ａ、第二の領域１ｂを透過した光をＴ１ｂとする。
【００１８】
基材１は、各領域１ａ、１ｂの吸収率が互いに異なる波長依存性を有するように、換言すれば、各領域１ａ、１ｂに入射した白色光に互いに異なる特定の色がつくように染料を浸透、あるいは材料に混合することにより形成される。なお基材１は、インクジェット方式を用いて各領域１ａ、１ｂに染料を塗布することによっても形成することができる。本実施形態では、第一の領域１ａは、透過光Ｔ１ａに青色がつくように構成される。また、第二の領域１ｂは、透過光Ｔ１ｂに赤色がつくように構成される。
【００１９】
具体的には、第一の領域１ａは、青−緑境界波長より短波長側の青色成分の透過率が相対的に高い分光透過率を有する。また、第二の領域１ｂは、赤−緑境界波長より長波長側の赤色成分の透過率が相対的に高い分光透過率を有する。
【００２０】
基材１の各面に施された反射防止膜２、３は、誘電体を積層して構成される干渉膜である。本実施形態の反射防止膜２を構成する各層は、第一の領域１ａの分光透過率分布に基づいて、反射防止膜２での反射光Ｒ２と、第一の領域１ａ、反射防止膜２を介して光学部材１から射出される透過光ＴＡとの色刺激が互いに同系統となるように屈折率、膜厚等が決定されている。また、本実施形態の反射防止膜３を構成する各層は、第二の領域１ｂの分光透過率分布に基づいて、反射防止膜３での反射光Ｒ３と、第二の領域１ｂ、反射防止膜３を介して光学部材１から射出される透過光ＴＢとの色刺激が互いに同系統となるように屈折率、膜厚等が決定されている。
【００２１】
つまり、反射防止膜２は、青−緑境界波長より短波長側の青色成分に対する反射率が、該境界波長よりも長波長側の緑、赤色成分に対する反射率より高くなるような分光反射率を有する。また、反射防止膜３は、赤−緑境界波長より長波長側の赤色成分の反射率が、該境界波長よりも短波長側の緑、青色成分に対する反射率より高くなるような分光反射率を有する。
【００２２】
したがって、反射防止膜２側に白色光が入射した場合、殆どの成分は反射防止膜２の作用により反射されずに基材１に入射するが、青色成分のみが僅かに反射光Ｒ２として反射する。また、反射防止膜３側に白色光が入射した場合、殆どの成分は反射防止膜３の作用により反射されずに基材１に入射するが、赤色成分のみが僅かに反射光Ｒ３として反射する。
【００２３】
第一の領域１ａを透過する透過光Ｔ１ａは、該領域１ａでの緑、赤色成分の吸収により青色成分の輝度が相対的に大きなものとなる。ここで、第一の領域１ａ内での波長の違いに応じた吸収率の差は、各反射防止膜２、３の波長の違いに応じた反射率の差よりはるかに大きく設定されている。したがって、各反射防止膜２、３の作用は、透過光ＴＡの分光分布の変化には殆ど影響しない。つまり、透過光ＴＡの分光分布は、主として基材１の第一の領域１ａの分光透過率分布のみに依存して決定される。このことは、透過光ＴＡが、透過光Ｔ１ａと略同一の分光分布を有することを意味する。つまり、透過光ＴＡは、反射光Ｒ２と同様に、青色成分の輝度が相対的に高くなっている。
【００２４】
第二の領域１ｂを透過する透過光Ｔ１ｂは、該領域１ｂでの緑、青色成分の吸収により赤色成分の輝度が相対的に大きなものとなる。上記同様、各反射防止膜２、３の作用は、透過光ＴＢの分光分布の変化には殆ど影響しない。つまり、透過光ＴＢの分光分布は主として基材１の第二の領域１ｂの分光透過率分布のみに依存して決定される。より詳しくは、透過光ＴＢは、透過光Ｔ１ｂと略同一の分光分布を有し、しかも、透過光ＴＢは、反射光Ｒ３と同様に、赤色成分の輝度が相対的に高くなっている。
【００２５】
上述した特徴、つまり、反射光Ｒ２と透過光ＴＡ（透過光Ｔ１ａ）の色刺激が同系統であり、かつ反射光Ｒ３と透過光ＴＢ（透過光Ｔ１ｂ）の色刺激が同系統であることは、ＣＩＥ色度座標における主波長もしくは補色主波長を用いることにより、色特性として具体的に規定することができる。なお、任意の色は一つのスペクトル色と白色光の混合によってつくることができる。その場合に使ったスペクトル色の波長をその色の主波長という。CIE色度図上に表わされた白色点とその色の点との延長上のスペクトル軌跡の波長を読むことによって主波長を知ることができ、その色の色相の見当をつけるために用いられる。延長線が純紫軌跡と交差する場合は補色主波長という。また、本明細書では、ＣＩＥ  １９３１標準表色系を用いて光学部材１０の色特性を説明する。また、色特性を説明する際に使用する白色光源は、相関色温度が約６７７４Ｋとなる標準光源Ｃを用いるものとする。
【００２６】
反射光Ｒ２と透過光ＴＡ（透過光Ｔ１ａ）の色刺激が同系統であることは、透過光Ｔ１ａと反射光Ｒ２の関係において、両者の主波長の差あるいは補色主波長の差が所定の範囲内にあると言い換えることができる。同様に、反射光Ｒ３と透過光ＴＢ（透過光Ｔ１ｂ）の色刺激が同系統であることは、透過光Ｔ１ｂと反射光Ｒ３の関係において、両者の主波長の差あるいは補色主波長の差が所定の範囲内にあると言い換えることができる。なお、本実施形態では、一般に人間が同一色であると認識する範囲に鑑み、上記所定の範囲を±１０ｎｍに設定している。
【００２７】
上記のように構成することにより、光学部材１０を観察した場合には、基材１の第一の領域１ａに対応する部分は青みがかった状態で観察される。また、基材１の第二の領域１ｂに対応する部分は赤みがかった状態で観察される。このように、本実施形態の光学部材１０は、二種類の染色が施された基材を用いているにもかかわらず、濁った色として知覚されることなく、視認性、ファッション性に富んだ構成になっている。
【００２８】
次に、上記実施形態の光学部材１０の具体的実施例を説明する。実施例の光学部材１０を構成する基材１は、図２に示される。基材１は、それぞれ異なる波長依存性を持つ第一の領域１ａ、第二の領域１ｂを有する。基材１の第一の領域１ａは、図４に示す分光透過率特性を有する。図４に示すように、第一の領域１ａは、４００ｎｍ〜５００ｎｍ程度の青色成分に対して高い透過率を有する。基材１の第二の領域１ｂは、図５に示す分光透過率特性を有する。図５に示すように、第二の領域１ｂは、６００ｎｍ〜７００ｎｍ程度の赤色成分に対して高い透過率を有する。
【００２９】
基材１の両面には、それぞれコーティング層としての反射防止膜２、３が施される。反射防止膜２および反射防止膜３の具体的膜構成は、それぞれ以下の表１、２に示される。
【００３０】
【表１】
2007183411.tif 000003
【表２】
2007183411.tif 000004
【００３１】
表１、２において、層番号１が最も基材１に近い層を、層番号７が最も空気に近い層を表す。また、光学膜厚（単位：ｎｍ）における中心波長λは、５５０ｎｍを想定する。
【００３２】
反射防止膜２の分光反射率特性を図６に、反射防止膜３の分光反射率特性を図７に、それぞれ示す。図６に示すように、反射防止膜２は、４００ｎｍ〜５００ｎｍ程度の青色成分の反射率が他の波長域に比べ、若干量高めに設定されている。また、図７に示すように、反射防止膜３は、６００ｎｍ〜７００ｎｍ程度の赤色成分の反射率が他の波長域に比べ、若干量高めに設定されている。ただし、高めに設定されているとしても、１〜２％程度であるため、各膜２、３の反射防止作用は有効に機能しているといえる。
【００３３】
上記構成の光学部材１０を使用した場合において、反射光Ｒ２、Ｒ３、透過光Ｔ１ａ、Ｔ１ｂの特性を表３に示す。表３において、視感反射率（透過率）は、光学部材１０に関し、入射した光に対する反射する光（射出される光）の比であり、色度座標を算出するために用いられる。また、ＣＩＥ色度座標上での各光Ｒ２、Ｒ３、Ｔ１ａ、Ｔ１ｂの位置を図８に示す。
【００３４】
【表３】
2007183411.tif 000005
【００３５】
表３、図８に示すように、光学部材１０は、反射光Ｒ２と透過光Ｔ１ａの主波長の差、および反射光Ｒ３と透過光Ｔ１ｂの主波長の差がいずれも±１０ｎｍの範囲内にあるように構成されている。図９は、光学部材１０に関し、第一の領域１ａにより規定される部分の分光透過率特性を示すグラフである。図９において、第一の領域１ａにより規定される部分の分光透過率特性を実線で示す。なお図９において、参照のため、図４に示した基材１の第一の領域１ａの分光透過率特性を破線で示す。また、図１０は、光学部材１０に関し、第二の領域１ｂにより規定される部分の分光透過率特性を示すグラフである。図１０において、光学部材１０に関し、第二の領域１ｂにより規定される部分の分光透過率特性を実線で示す。なお図１０においても、参照のため、図５に示した基材１の第二の領域１ｂの分光透過率特性を破線で示す。
【００３６】
図９や図１０に示すように、光学部材１０は、反射防止膜を施しているにもかかわらず、透過光ＴＡ、ＴＢの分光透過率は、各領域１ａ、１ｂそのものを透過した透過光Ｔ１ａ、Ｔ１ｂと略同一であることがわかる。したがって、光学部材１０をいずれの反射防止膜２、３側から見た場合であっても、色が濁ったり、曇ったりすることなく、色合いやファッション性、さらには視認性が保証される。
【００３７】
以上が本発明の実施形態である。本発明に係る光学部材は、上述した構成に限定されるものではなく、主旨を逸脱しない範囲で種々の変形が可能である。
【００３８】
たとえば、基材１の各領域１ａ、１ｂが主として透過させる色成分は、必ずしも青色成分と赤色成分の組み合わせに限定されるものではない。各領域１ａ、１ｂが主として透過させる色成分は、利用者（たとえば眼鏡であれば装用者）の好みに応じてさまざまな種類を選択することができる。そして、選択された各領域での分光透過率に対応して反射防止膜を構成すればよい。
【００３９】
また上記実施形態で説明した反射防止膜２、３は互いに逆の特性を持っていてもよい。つまり、本発明に係る光学部材は、一方の面に第一の領域に対応する反射特性を持つ反射防止膜を設け、他方の面に第二の領域に対応する反射特性を持つ反射防止膜を設ければ上記実施形態と同様の効果を奏する。
【００４０】
また、図２で示した二つの領域１ａ、１ｂの区分けは、あくまで例示であってこれに限定するものではない。たとえば、同心円状に二つの領域１ａ、１ｂを形成してもよい。
【図面の簡単な説明】
【００４１】
【図１】本発明の実施形態の光学部材を表す概略図である。
【図２】実施形態の光学部材の基材を表す正面図である。
【図３】実施形態の光学部材の特徴を説明するために用いる光の種類を説明するための図である。
【図４】実施例の光学部材の第一の領域の分光透過率特性を示すグラフである。
【図５】実施例の光学部材の第二の領域の分光透過率特性を示すグラフである。
【図６】実施例の光学部材の反射防止膜の分光反射率特性を示すグラフである。
【図７】実施例の光学部材の反射防止膜の分光反射率特性を示すグラフである。
【図８】実施例の光学部材の、ＣＩＥ色度座標上での各光Ｒ２、Ｒ３、Ｔ１ａ、Ｔ１ｂの位置を示す図である。
【図９】実施例の光学部材の、第一の領域により規定される部分の分光透過率特性と、基材の第一の領域の分光透過率特性を示すグラフである。
【図１０】実施例の光学部材の、第二の領域により規定される部分の分光透過率特性と、基材の第二の領域の分光透過率特性を示すグラフである。
【符号の説明】
【００４２】
１  基材
２、３  反射防止膜
１０  光学部材
【図１】
2007183411.tif 000006
【図２】
2007183411.tif 000007
【図３】
2007183411.tif 000008
【図４】
2007183411.tif 000009
【図５】
2007183411.tif 000010
【図６】
2007183411.tif 000011
【図７】
2007183411.tif 000012
【図８】
2007183411.tif 000013
【図９】
2007183411.tif 000014
【図１０】
2007183411.tif 000015